(57)【要約】【課題】  焦点距離や被写体に合わせて視野角を変化させることで容易に撮影ができるビューファインダーシステム及びそれを備えた撮像装置を提供する。【解決手段】  リアルタイムの画像が表示されるスルー画像表示部Ｔと、スルー画像表示部Ｔを有するビューファインダーＶと、スルー画像表示部Ｔに画像を表示させる表示制御手段１と、撮影状態を取得する撮影状態取得手段２と、を備え、表示制御手段１は、撮影状態取得手段２の取得した状態に応じて、視野率をほぼ変化させずにスルー画像表示部Ｔに表示させるスルー画像に対する視野角を制御する。【選択図】図１
2010166116.tif 000002
【特許請求の範囲】
【請求項１】
リアルタイムの画像が表示されるスルー画像表示部と、
前記スルー画像表示部を有するビューファインダーと、
前記スルー画像表示部に画像を表示させる表示制御手段と、
撮影状態を取得する撮影状態取得手段と、
を備え、
前記表示制御手段は、前記撮影状態取得手段の取得した状態に応じて、視野率をほぼ変化させずに前記スルー画像表示部に表示させるスルー画像に対する視野角を制御する
ことを特徴とするビューファインダーシステム。
【請求項２】
前記撮影状態取得手段は、撮影レンズの焦点距離を検出するレンズ焦点距離検出手段を有する
ことを特徴とする請求項１に記載のビューファインダーシステム。
【請求項３】
前記レンズ焦点距離検出手段の検出した焦点距離が広角の場合、スルー画像に対する視野角を小さくし、
前記レンズ焦点距離検出手段の検出した焦点距離が望遠の場合、スルー画像に対する視野角を大きくする
ことを特徴とする請求項２に記載のビューファインダーシステム。
【請求項４】
前記撮影状態取得手段は、被写体及び被写体の状態を認識する被写体認識手段を有する
ことを特徴とする請求項１乃至請求項３のいずれか１つに記載のビューファインダーシステム。
【請求項５】
前記被写体認識手段は、被写体のサイズを認識するサイズ認識手段を有する
ことを特徴とする請求項４に記載のビューファインダーシステム。
【請求項６】
前記被写体認識手段は、人物の顔の特徴を認識し、被写体を人物と判断する顔認識手段を有する
ことを特徴とする請求項４又は請求項５に記載のビューファインダーシステム。
【請求項７】
前記被写体認識手段は、被写体の動きを認識する動作認識手段を有する
ことを特徴とする請求項４乃至請求項６のいずれか１つに記載のビューファインダーシステム。
【請求項８】
前記被写体認識手段は、被写体を選択する選択手段を有する
ことを特徴とする請求項４乃至請求項７のいずれか１つに記載のビューファインダーシステム。
【請求項９】
前記撮影状態取得手段は、撮影者の視線を認識する視線認識手段を有する
ことを特徴とする請求項１乃至請求項８のいずれか１つに記載のビューファインダーシステム。
【請求項１０】
前記撮影状態取得手段は、ビューファインダーの動きを認識するファインダー動作認識手段を有する
ことを特徴とする請求項１乃至請求項９のいずれか１つに記載のビューファインダーシステム。
【請求項１１】
前記撮影状態取得手段は、フォーカスの状態を認識するフォーカス状態認識手段を有する
ことを特徴とする請求項１乃至請求項１０のいずれか１つに記載のビューファインダーシステム。
【請求項１２】
前記表示制御手段は、スルー画像の表示視野角を制御する表示視野角制御手段を有する
ことを特徴とする請求項１乃至請求項１１のいずれか１つに記載のビューファインダーシステム。
【請求項１３】
前記表示制御手段は、スルー画像の表示面積を制御する表示面積制御手段を有する
ことを特徴とする請求項１乃至請求項１２のいずれか１つに記載のビューファインダーシステム。
【請求項１４】
前記表示制御手段を操作する操作手段を備える
ことを特徴とする請求項１乃至請求項１３のいずれか１つに記載のビューファインダーシステム。
【請求項１５】
前記スルー画像表示部に表示させる被写体は、有効視野角内に入っている
ことを特徴とする請求項１乃至請求項１４のいずれか１つに記載のビューファインダーシステム。
【請求項１６】
請求項１乃至請求項１５のいずれか１つに記載の前記ビューファインダーシステムを備えたことを特徴とする撮像装置。
【発明の詳細な説明】
【技術分野】
【０００１】
本発明は、表示部に表示された物体像を観察するためのビューファインダーシステム及びそれを備えた撮像装置に関する。
【背景技術】
【０００２】
一般に、電子ビューファインダー（ＥＶＦ）は、レンズの焦点距離が異なってもファインダー内の視野は同じであった。
【０００３】
また、ＭＦ時にビューファインダーの画像を拡大表示する技術が開示されている（特許文献１）。
【先行技術文献】
【特許文献】
【０００４】
【特許文献１】特開２００３−１８９１３６号公報
【発明の概要】
【発明が解決しようとする課題】
【０００５】
特許文献１に記載された技術では、撮影の際に構図を決定することやピントを合わせることが困難であるという問題があった。
【０００６】
本発明は従来技術のこれらの問題点に鑑みてなされたものであり、その目的は、焦点距離や被写体に合わせて視野角を変化させることで容易に撮影ができるビューファインダーシステム及びそれを備えた撮像装置を提供することである。
【課題を解決するための手段】
【０００７】
上記目的を達成する本発明に係るビューファインダーシステムは、リアルタイムの画像が表示されるスルー画像表示部と、前記スルー画像表示部を有するビューファインダーと、前記スルー画像表示部に画像を表示させる表示制御手段と、撮影状態を取得する撮影状態取得手段と、を備え、前記表示制御手段は、前記撮影状態取得手段の取得した状態に応じて、視野率をほぼ変化させずに前記スルー画像表示部に表示させるスルー画像に対する視野角を制御することを特徴とする。
【発明の効果】
【０００８】
本発明によると、撮影状況に応じてスルー画像に対する視野角を変化させることができるので、撮影が容易になり、最適な撮影をすることができるビューファインダーシステム及びそれを備えた撮像装置を得ることができる。
【図面の簡単な説明】
【０００９】
【図１】本発明の実施形態に係る撮像装置を示す図である。
【図２】本発明に係るビューファインダーシステムのシステムブロック図である。
【図３】本発明に係るビューファインダーシステムのスルー画像に対する視野角を示す図である。
【図４】本発明に係るビューファインダーシステムのスルー画像に対する視野角を示す図である。
【図５】本発明に係るビューファインダーの第１実施形態のシステムブロック図である。
【図６】焦点距離が広角の場合の視野角の制御を示す図である。
【図７】焦点距離が望遠の場合の視野角の制御を示す図である。
【図８】本発明に係るビューファインダーの第２実施形態のシステムブロック図である。
【図９】顔認識手段の認識に応じた視野角の制御を示す図である。
【図１０】本発明に係るビューファインダーの第３実施形態のシステムブロック図である。
【図１１】軌跡記憶手段の記憶に応じた視野角の制御を示す図である。
【図１２】本発明に係るビューファインダーの第４実施形態のシステムブロック図である。
【図１３】本発明に係るビューファインダーの第５実施形態のシステムブロック図である。
【図１４】本発明に係るビューファインダーの第６実施形態のシステムブロック図である。
【図１５】第６実施形態のビューファインダーシステムの光学系の断面図である。
【図１６】本発明に係るビューファインダーの第７実施形態のシステムブロック図である。
【図１７】本発明に係るビューファインダーの第８実施形態のシステムブロック図である。
【図１８】本発明に係るビューファインダーの第１〜第８実施形態をすべて組み合わせたシステムブロック図である。
【図１９】本発明の撮像装置の一例であるデジタルカメラの構成を示す図である。
【図２０】本発明の撮像装置を銀塩カメラに適用した場合の構成を示す図である。
【発明を実施するための形態】
【００１０】
本実施形態のビューファインダーシステム及びそれを備えた撮像装置について、以下説明する。
【００１１】
本実施形態のビューファインダーシステムは、リアルタイムの画像が表示されるスルー画像表示部と、スルー画像表示部を有するビューファインダーと、スルー画像表示部に画像を表示させる表示制御手段と、撮影状態を取得する撮影状態取得手段と、を備え、表示制御手段は、撮影状態取得手段の取得した状態に応じて、視野率をほぼ変化させずにスルー画像表示部に表示させるスルー画像に対する視野角を制御することが好ましい。
【００１２】
撮影状況に応じてスルー画像に対する視野角を変化させることができるので構図を決定することやピントを合わせることが容易となる。すなわち、撮影が容易になり、最適な撮影をすることができる。
【００１３】
また、撮影状態取得手段は、撮影レンズの焦点距離を検出するレンズ焦点距離検出手段を有することが好ましい。
【００１４】
焦点距離にあわせてスルー画像に対する視野角を変化させることができ、撮影が容易になり、最適な撮影をすることができる。
【００１５】
また、レンズ焦点距離検出手段の検出した焦点距離が広角の場合、スルー画像に対する視野角を小さくし、レンズ焦点距離検出手段の検出した焦点距離が望遠の場合、スルー画像に対する視野角を大きくすることが好ましい。
【００１６】
このように制御することにより、広角の場合は全体の構図を一度に見られ、望遠の場合はピント合わせが容易となる。
【００１７】
また、撮影状態取得手段は、被写体及び被写体の状態を認識する被写体認識手段を有することが好ましい。
【００１８】
被写体及び被写体の状態に応じてスルー画像に対する視野角を変化させることにより、例えば、人物なら大きく、風景なら全体を見られるので、撮影が容易になり、最適な撮影をすることができる。
【００１９】
また、被写体認識手段は、被写体のサイズを認識するサイズ認識手段を有することが好ましい。
【００２０】
被写体が大きく表示されるようにスルー画像に対する視野角を変化させることができ、撮影が容易になり、最適な撮影をすることができる。
【００２１】
また、被写体認識手段は、人物の顔の特徴を認識し、被写体を人物と判断する顔認識手段を有することが好ましい。
【００２２】
人物の顔が大きくなるようにスルー画像に対する視野角を変化させることができ、撮影が容易になり、最適な撮影をすることができる。
【００２３】
また、被写体認識手段は、被写体の動きを認識する動作認識手段を有することが好ましい。
【００２４】
被写体の動きが速い場合、追従しやすくするため、スルー画像に対する視野角を小さくし、被写体の動きが遅い又は停止している場合、スルー画像に対する視野角を大きくすることができ、撮影が容易になり、最適な撮影をすることができる。
【００２５】
また、被写体認識手段は、被写体を選択する選択手段を有することが好ましい。
【００２６】
複数の被写体がある場合、注目したい被写体を選択することができ、撮影が容易になり、最適な撮影をすることができる。
【００２７】
また、撮影状態取得手段は、撮影者の視線を認識する視線認識手段を有することが好ましい。
【００２８】
撮影者の視線の集まる場所を中心に大きく表示できるので、撮影が容易になり、最適な撮影をすることができる。
【００２９】
また、撮影状態取得手段は、ビューファインダーの動きを認識するファインダー動作認識手段を有することが好ましい。
【００３０】
撮影者の動きにあわせてスルー画像に対する視野角を変化させることができ、撮影が容易になり、最適な撮影をすることができる。
【００３１】
また、撮影状態取得手段は、フォーカスの状態を認識するフォーカス状態認識手段を有することが好ましい。
【００３２】
フォーカスの状態に応じてスルー画像に対する視野角を変化させることができ、撮影が容易になり、最適な撮影をすることができる。
【００３３】
また、表示制御手段は、スルー画像の表示視野角を制御する表示視野角制御手段を有することが好ましい。
【００３４】
スルー画像の表示視野角を制御することで、スルー画像に対する視野角を変化させることができ、撮影が容易になり、最適な撮影をすることができる。
【００３５】
また、表示制御手段は、スルー画像の表示面積を制御する表示面積制御手段を有することが好ましい。
【００３６】
スルー画像の表示面積を制御することで、スルー画像に対する視野角を擬似的に変化させることができ、撮影が容易になり、最適な撮影をすることができる。
【００３７】
また、表示制御手段を操作する操作手段を備えることが好ましい。
【００３８】
撮影者が最適な表示を自分で調整することができ、撮影が容易になり、最適な撮影をすることができる。
【００３９】
また、スルー画像表示部に表示させる被写体は、有効視野角内に入っていることが好ましい。
【００４０】
有効視野角内に入っていることで、被写体を容易に見ることができ、撮影が容易になり、最適な撮影をすることができる。
【００４１】
また、ビューファインダーシステムを撮像装置に備えることが好ましい。
【００４２】
撮影が容易になり、最適な撮影をすることができる。
【００４３】
以下、ビューファインダーシステム及びそれを備えた撮像装置について図面を用いて説明する。
【００４４】
図１は、実施形態に係る撮像装置Ｃを示す図である。撮像装置Ｃは、本体Ｃ１と、この本体Ｃ１に備えられたビューファインダーＶとを有する。なお、Ｄは背面画像表示素子であって、液晶表示素子ＬＣＤと同方向から観察できる位置に配置されている。なお、画像表示素子はＬＣＤに限られない。例えば、画像表示素子として有機ELを用いることもできる。
【００４５】
ビューファインダーＶは電子ビューファイン（ＥＶＦ）であって、少なくとも液晶表示素子ＬＣＤを備え、その他に図示しない接眼光学系Ｏと、接眼部Ｐを備えている。ここで、液晶表示素子ＬＣＤは表示部であって、この液晶表示素子ＬＣＤには物体の像が表示される。また、接眼光学系Ｏは、液晶表示素子ＬＣＤに表示された画像を観察者の眼に導く光学系である。また、接眼部Ｐは観察者が覗く部分であって、接眼光学系Ｏの観察者側に配置されている。なお、表示部はＬＣＤに限られない。例えば、表示部として有機ELを用いることもできる。
【００４６】
液晶表示素子ＬＣＤは、リアルタイムの画像が表示されるスルー画像表示部Ｔと、視野マスクＭと、を有する。スルー画像表示部Ｔは、視野マスクＭよりも大きいことが好ましい。
【００４７】
図２は、本発明に係るビューファインダーシステムのシステムブロック図である。
【００４８】
図２に示すように、ビューファインダーシステムは、表示制御手段１と、撮影状態取得手段２とを有する。
【００４９】
表示制御手段１は、液晶表示素子ＬＣＤに画像を表示させるものである。液晶表示素子ＬＣＤのスルー画像表示部Ｔには、リアルタイムのスルー画像が表示される。
【００５０】
撮影状態取得手段２は、レンズ、被写体又は撮影者等の状態を取得するものである。
【００５１】
本発明に係るビューファインダーシステムでは、撮影状態取得手段２の取得した状態に応じて、表示制御手段１が視野率をほぼ変化させずにスルー画像に対する視野角を制御する。
【００５２】
図３及び図４は、本実発明に係るビューファインダーシステムのスルー画像に対する視野角を示す図である。
【００５３】
図３に示すように、液晶表示素子ＬＣＤのスルー画像表示部をＴ、光学系Ｌを通してスルー画像表示部Ｔを見たときの虚像をＴ’とする。そして、アイポイントＥと虚像Ｔ’ の外枠の部分を結ぶ直線と光軸とのなす角度をθとすると、スルー画像に対する視野角は２θとなる。なお、液晶表示素子ＬＣＤは、スクリーンマットでもよい。
【００５４】
また、図４に示すように、画像表示素子に表示される画像を直接見るビューファインダーや、背面画像表示素子に表示される画像を直接見る場合がある。この場合のスルー画像に対する視野角とは、画像表示素子のスルー画像表示部Ｔ（外枠の部分）の両端で決まる角度２θである。
【００５５】
図５は、本発明に係るビューファインダーシステムの第１実施形態のシステムブロック図である。
【００５６】
図５に示すように、第１実施形態のビューファインダーシステムは、撮影状態取得手段２としてレンズ焦点距離検出手段２１を有する。
【００５７】
レンズ焦点距離検出手段２１は、撮影レンズの焦点距離を検出するものである。
【００５８】
第１実施形態では、レンズ焦点距離検出手段２１の検出した撮影レンズの焦点距離に応じて、表示制御手段１が視野率をほぼ変化させずにスルー画像に対する視野角を制御するものである。
【００５９】
図６は、焦点距離が広角の場合の視野角の制御を示す図である。
【００６０】
図６では、撮影レンズの焦点距離が広角であるので、広い範囲を撮影しようとしていることになる。この場合、全体的な構図を確認できることがポイントとなるので、撮影範囲を一度に広く見られるようにするのが好ましい。そこで、図６（ａ）から図６（ｂ）となるように、液晶表示素子ＬＣＤのスルー画像表示部Ｔに表示される画像を小さく、すなわち、スルー画像に対する視野角を小さくすると好ましい。
【００６１】
図７は、焦点距離が望遠の場合の視野角の制御を示す図である。
【００６２】
図７では、撮影レンズの焦点距離が望遠であるので、被写体をアップで撮影しようとしていることになる。この場合、被写体に（一点に）集中してピント合わせができるようにすることがポイントとなるので、被写体を大きく見られるようにするのが好ましい。そこで、図７（ａ）から図７（ｂ）となるように、液晶表示素子ＬＣＤのスルー画像表示部Ｔに表示される画像を大きく、すなわち、スルー画像に対する視野角を大きくすると好ましい。
【００６３】
図８は、本発明に係るビューファインダーシステムの第２実施形態のシステムブロック図である。
【００６４】
図８に示すように、第２実施形態のビューファインダーシステムは、撮影状態取得手段２として被写体認識手段２２を有する。
【００６５】
被写体認識手段２２は、被写体及び被写体の状態を認識するものである。
【００６６】
第２実施形態では、被写体認識手段２２の認識した被写体及び被写体の状態に応じて、表示制御手段１が視野率をほぼ変化させずにスルー画像に対する視野角を制御するものである。
【００６７】
実施例１では、被写体認識手段２２は、被写体を認識する。例えば、スルー画像の中に人物や動物、物体等がいる場合、被写体認識手段２２は、これらを被写体と認識する。この場合、被写体が大きく表示されるように液晶表示素子ＬＣＤのスルー画像表示部Ｔに表示される画像を制御、すなわち、スルー画像に対する視野角を制御するのが好ましい。また、スルー画像の中に人物がいない場合や、スルー画像が空や草原等の風景の場合、被写体認識手段２２は、人物がいないことを認識又は空や草原等の風景の特徴（例えば、上方に青色がある場合には空と判断等）を認識する。被写体を風景である認識した場合、全体（広い範囲）が見られるように、液晶表示素子ＬＣＤのスルー画像表示部Ｔに表示される画像を小さく、すなわち、スルー画像に対する視野角を小さくすると好ましい。
【００６８】
実施例２では、被写体認識手段２２は、サイズ認識手段２２ａを有する。
【００６９】
サイズ認識手段２２ａは、被写体の輪郭を認識し、輪郭内の面積のビューファインダー画面に対するサイズを算出し、被写体のサイズを認識する。
【００７０】
この場合、サイズ認識手段２２ａにより算出された被写体のサイズにあわせて被写体が大きく表示されるように、液晶表示素子ＬＣＤのスルー画像表示部Ｔに表示される画像を制御、すなわち、スルー画像に対する視野角を制御するのが好ましい。
【００７１】
実施例３では、被写体認識手段２２は、顔認識手段２２ｂを有する。
【００７２】
顔認識手段２２ｂは、人物の顔の特徴を認識し、被写体を人物と判断するものである。例えば、目や口を検出した場合、肌色を多く検出した場合等には顔と判断することが考えられる。
【００７３】
図９は、顔認識手段２２ｂの認識に応じた視野角の制御を示す図である。
【００７４】
図９に示すように、顔認識手段２２ｂにより被写体が人物であると判断された場合、一点に集中してピント合わせが容易となるようにするのが好ましい。この場合、図９（ａ）から図９（ｂ）となるように、液晶表示素子ＬＣＤのスルー画像表示部Ｔに表示される画像を大きく、すなわち、スルー画像に対する視野角を大きくすると好ましい。
【００７５】
実施例４では、被写体認識手段２２は、動作認識手段２２ｃを有する。
【００７６】
動作認識手段２２ｃは、被写体の動きを認識し、被写体の速度や加速度を検出するものである。
【００７７】
例えば、運動会で走っている子供を撮影する場合、撮影範囲内に子供が入ってきた時の速度が速い場合等には、より広い範囲を撮影できるようにするのが好ましい。そこで、撮影範囲内に被写体（子供）が入ってきた時に、動作認識手段２２ｃにより被写体の動きを認識し、被写体移動速度を検出する。被写体の移動速度が速いと認識された場合、液晶表示素子ＬＣＤのスルー画像表示部Ｔに表示される画像を小さく、すなわち、スルー画像に対する視野角を小さくすると好ましい。
【００７８】
また、動作認識手段２２ｃにより被写体が動いていないと認識された場合、ピント合わせが容易となるようにするのが好ましい。この場合、液晶表示素子ＬＣＤのスルー画像表示部Ｔに表示される画像を大きく、すなわち、スルー画像に対する視野角を大きくすると好ましい。
【００７９】
なお、被写体認識手段２２は、被写体を選択する選択手段２２ｄを有してもよい。
【００８０】
選択手段２２ｄは、複数の被写体がある場合に、注目したい被写体を選択することができるものである。例えば、ＡＦポイントやカーソル等で選択すると好ましい。
【００８１】
図１０は、本発明に係るビューファインダーシステムの第３実施形態のシステムブロック図である。
【００８２】
図１０に示すように、第３実施形態のビューファインダーシステムは、撮影状態取得手段２として視線認識手段２３を有する。
【００８３】
視線認識手段２３は、撮影者の視線を認識するものである。
【００８４】
第３実施形態では、視線認識手段２３の認識した撮影者の視線の状態に応じて、表示制御手段１が視野率をほぼ変化させずにスルー画像に対する視野角を制御するものである。例えば、撮影者の視線のある場所を液晶表示素子ＬＣＤのスルー画像表示部Ｔの中心に大きく表示させると好ましい。
【００８５】
図１１は、軌跡記憶手段２３ａの記憶に応じた視野角の制御を示す図である。
【００８６】
視線認識手段２３は、撮影者の視線の軌跡を記憶する軌跡記憶手段２３ａを有すると好ましい。
【００８７】
軌跡記憶手段２３ａに記憶された撮影者の視線の軌跡の移動範囲が狭い場合は、図１１（ａ）に示すように、液晶表示素子ＬＣＤのスルー画像表示部Ｔに表示される画像を大きく、すなわち、スルー画像に対する視野角を大きくすると好ましい。
【００８８】
また、軌跡記憶手段２３ａに記憶された撮影者の視線の軌跡の移動範囲が広い場合は、図１１（ｂ）に示すように、液晶表示素子ＬＣＤのスルー画像表示部Ｔに表示される画像を小さく、すなわち、スルー画像に対する視野角を小さくすると好ましい。
【００８９】
図１２は、本発明に係るビューファインダーシステムの第４実施形態のシステムブロック図である。
【００９０】
図１２に示すように、第４実施形態のビューファインダーシステムは、撮影状態取得手段２としてファインダー動作認識手段２４を有する。
【００９１】
ファインダー動作認識手段２４は、ビューファインダー又はビューファインダーを備えた撮像装置の動きを認識するものである。
【００９２】
第４実施形態では、ファインダー動作認識手段２４の認識したビューファインダーの動きに応じて、表示制御手段１が視野率をほぼ変化させずにスルー画像に対する視野角を制御するものである。ビューファインダーの動きは、速度や加速度等を検出する。例えば、ビューファインダーの動きが速い場合、液晶表示素子ＬＣＤのスルー画像表示部Ｔに表示される画像を小さく、すなわち、スルー画像に対する視野角を小さくすると好ましい。
【００９３】
図１３は、本発明に係るビューファインダーシステムの第５実施形態のシステムブロック図である。
【００９４】
図１３に示すように、第５実施形態のビューファインダーシステムは、撮影状態取得手段２としてフォーカス状態認識手段２５を有する。
【００９５】
フォーカス状態認識手段２５は、フォーカスの状態を認識するものである。
【００９６】
第５実施形態では、フォーカス状態認識手段２５の認識したフォーカスの状態に応じて、表示制御手段１が視野率をほぼ変化させずにスルー画像に対する視野角を制御するものである。
【００９７】
ＭＦの場合、ピント合わせを容易にするため、液晶表示素子ＬＣＤのスルー画像表示部Ｔに表示される画像を大きく、すなわち、スルー画像に対する視野角を大きくすると好ましい。
【００９８】
また、SpotＡＦの場合、Spot位置を合わせるため、液晶表示素子ＬＣＤのスルー画像表示部Ｔに表示される画像を小さく、すなわち、スルー画像に対する視野角を小さくすると好ましい。
【００９９】
なお、第１〜第５実施形態の制御を行う際、スルー画像を大きくした場合には、被写体は有効視野角内に入っていることが好ましい。有効視野角とは、中心視するのと同時に認知できる範囲である。例えば３０°以下が好ましい。２２°以下はさらに好ましい。
【０１００】
次に、スルー画像に対する視野角の制御について説明する。
【０１０１】
図１４は、本発明に係るビューファインダーシステムの第６実施形態のシステムブロック図、図１５は、ビューファインダーシステムの光学系Ｌの断面図である。
【０１０２】
図３に示すような第６実施形態のビューファインダーシステムでは、図１４に示すように、表示制御手段１は、スルー画像の表示視野角を制御する表示視野角制御手段１１を有する。例えば、図１５に示すようにズーム機能を有する光学系Ｌを適用し、表示視野角制御手段１１がズームを調整すると好ましい。
【０１０３】
図１６は、本発明に係るビューファインダーシステムの第７実施形態のシステムブロック図である。
【０１０４】
図４に示すような第７実施形態のビューファインダーシステムでは、図１６に示すように、表示制御手段１はスルー画像の表示面積を制御する表示面積制御手段１２を有する。例えば、液晶表示素子ＬＣＤのスルー画像表示部Ｔの面積を制御すると擬似的に視野角を変化させることができて好ましい。
【０１０５】
図１７は、本発明に係るビューファインダーシステムの第８実施形態のシステムブロック図である。
【０１０６】
さらに、図１７に示すように、撮影者が操作する操作手段３を設け、撮影者が表示制御手段１を操作してもよい。最適な表示をユーザーが調節できるので好ましい。
【０１０７】
また、表示視野角の制御や該視野角の保存・選択等を撮影者が操作手段３を操作することにより行うと好ましい。例えば、走行中の車両等速度の速い被写体を見る場合、適切な視野角を保存しておき、車両が撮影範囲から外れても常にその視野角で見えるようにすると好ましい。また、視野角を小さくして構図を決定した後、操作手段３により設定を変更し、視野角を大きくして被写体の微妙な変化を見ながら撮影すると好ましい。
【０１０８】
図１８は、本発明に係るビューファインダーシステムの第１〜第８実施形態をすべて組み合わせたシステムブロック図である。
【０１０９】
図１８に示すように、本発明に係る第１〜第８実施形態は、組み合わせることが可能である。なお、組み合わせる場合には、すべてを組み合わせる必要はなく、様々な組み合わせで組み合わせることが可能である。各実施形態を組み合わせる場合、実施形態毎に優先度を決定しておくことが好ましい。
【０１１０】
撮影レンズの焦点距離及びフォーカスの状態は、被写体によらず、撮影前にデフォルトとして決まっている。撮影が始まると、まず、被写体認識手段２２が被写体を認識する。例えば、サイズ認識手段２２ａにより被写体のサイズを認識し、顔認識手段２２ｂにより顔を認識する。続いて、動作認識手段２２ｃにより被写体の状態（動き）を認識する。次に、撮影者の視線、ビューファインダー動作の順に認識する。最後に、レンズ焦点距離及びフォーカス状態に変更があるか認識する。
【０１１１】
例えば、焦点距離にあわせて視野角を変化した後に、顔が検出されたら顔の大きさに合わせて視野角を変化させると好ましい。また、被写体に合わせて視野角を変化させた後、被写体が動き始めたらその速度にあわせて視野角を変化させると好ましい。さらに、被写体にあわせて視野角を調整後、視線が大きく動いたら視野角を変化させると好ましい。また、ファインダーの動きにあわせて視野角を調整後、ピントリングを回したら（ＭＦ状態）、フォーカス状態に合わせて視野角を変化させると好ましい。また、ＡＦにあわせて視野角を変化した後、被写体を選択したら視野角を変化させると好ましい。
【０１１２】
また、ビューファインダーシステムを撮像装置に備えることが好ましい。
【０１１３】
図１９は、本発明の撮像装置の一例であるデジタルカメラの構成を示す図である。図１９において、符号１１０は撮像装置であるデジタルカメラで、撮像光学系１０１と、フィルター１０２と、撮像素子１０３と、コントローラー１０４と、内蔵メモリー１０５と、電子ビューファインダー１０６と、インターフェイス１０７とより構成されている。
【０１１４】
上記撮像装置において、撮像光学系１０１は複数の光学素子（レンズ等）にて構成されている。物体より発した光は、この撮像光学系１０１により集光され、この集光位置に物体像が形成される。そして、この集光位置には、ＣＣＤ等の撮像素子１０３（受光面）が配置されている。撮像素子１０３は、規則正しく配置された光電変換素子の集まりよりなっている。また、モアレ現象の発生を防止するために、ローパス効果を持つフィルター１０２が撮像光学系１０１と撮像素子１０３の間に配置されている。また、赤外光をカットするための赤外カットフィルターを配置することもある。
【０１１５】
撮像素子１０３に入射した光束は、その光電変換素子により電気信号（画像信号）に変換される。この電気信号は、コントローラー１０４に入力される。ここで、コントローラー１０４により、ガンマー補正や画像圧縮処理等の信号処理が電気信号に対して行なわれる。信号処理が施された電気信号は、内蔵メモリー１０５やインターフェイス１０７を介してパーソナルコンピューター１０９等に出力される。
【０１１６】
電子ビューファインダー１０６は、照明系、画像表示素子及び接眼光学系（接眼レンズ）等で構成されている。ここで、接眼光学系には、上記実施例の接眼光学系Ｏが用いられている。また、画像表示素子としては、上記実施例の反射型表示素子が用いられている。この画像表示素子は、コントローラー１０４によって制御されている。このような構成により、電子ビューファインダー１０６では、撮像しようとする物体の像や撮像された画像を観察者が観察し得るようになっている。また、内蔵メモリー１０５から補助メモリー１０８へ画像データを送ることできる。一方、インターフェイス１０７からは同じ画像データをパーソナルコンピューター１０９へ送ることができる。
【０１１７】
図２０は、本発明の撮像装置を銀塩カメラに適用した場合の構成を示すものである。図２０に示すように、銀塩カメラ１２０は、撮像光学系１１１と、フィルム１１２と、対物レンズ１１３と、ＣＣＤ等の撮像素子１１４と、第１のコントローラー１１５と、他の第２のコントローラー１１６とを有する。そしてさらに、図１９のデジタルカメラと同様に、内蔵メモリー１０５と、電子ビューファインダー１０６とを備えている。なお、図示されているように、撮像光学系１１１と対物レンズ１１３とは、別の異なる光学系である。
【０１１８】
この図２０に示す銀塩カメラ１２０では、物体からの光束は撮像光学系１１１により集光され、この集光位置（第１集光位置）に物体像が形成される。第１集光位置には、フィルム１１２が配置されている。また、物体より発した光束は、対物レンズ１１３により集光され、この集光位置（第２集光位置）に物体像が形成される。この第２集光位置には、ＣＣＤ等の撮像素子１１４が配置されている。撮像素子１１４は、規則正しく配置された光電変換素子の集まりよりなっている。
【０１１９】
この撮像素子１１４に入射した光束は、光電変換素子にて電気信号（画像信号）に変換される。この電気信号は、第１のコントローラー１１５に入力される。この第１のコントローラー１１５により、ガンマー補正や画像圧縮処理等の信号処理が行なわれる。信号処理が施された電気信号は、画像表示素子へ送られる。上述のように、電子ビューファインダー１０６は、照明系、画像表示素子及び接眼光学系（接眼レンズ）等で構成されている。接眼光学系には、本実施形態の接眼光学系Ｏが用いられている。この電子ビューファインダー１０６を介して、撮像しようとする物体の像を撮像者は観察し得る。
【０１２０】
一方、内蔵メモリー１０５に蓄積された情報等を用いて、撮像で得られた画像を使用者（観察者）は観察し得る。このような制御は、第１のコントローラー１１５により行なわれる。
【０１２１】
また、撮像光学系１１１を制御するためのものとして、第２のコントローラー１１６を備えている。第２のコントローラー１１６は、撮像光学系１１１に対してズーミングやフォーカシング等の動作を行わせる。ズーミングやフォーカシング等の情報は、この第２のコントローラー１１６からの信号を基に第１のコントローラー１１５にて認識される。第１のコントローラー１１５は、この認識により、画像表示素子に表示する像を撮像画角（ズーミング）に合わせて調節し得る。また、フォーカシング等の情報に基づいて、画像表示素子に表示される像の範囲の補正（パララックス補正）を行なうようにしてもよい。また、第１のコントローラー１１５よりの信号は、内蔵メモリー１０５や図示してないインターフェイスへ送られるようにしても良い。そして、これらの信号（情報）を、インターフェイスを介してパーソナルコンピューター等に出力するようにしてもよい。
【０１２２】
また、撮像光学系１１１とフィルム１１２の間に光路分割素子を配置しても良い。この光路分割素子を介して物体からの光束をファインダー用に導き、撮像素子１１４に物体の像を形成しても良い。そして、この物体像を基に観察を行なうようにしてもよい。この場合、対物レンズ１１３を用いる必要が無い。
【０１２３】
以上、本発明のビューファインダーシステム及びそれを備えた撮像装置を実施形態に基づいて説明してきたが、本発明はこれら実施形態に限定されず種々の変形が可能である。
【符号の説明】
【０１２４】
Ｃ…撮像装置
Ｃ１…本体
Ｖ…ビューファインダー
Ｄ…背面画像表示素子
ＬＣＤ…液晶表示素子
Ｏ…接眼光学系
Ｔ…スルー画像表示部
Ｍ…視野マスク
１…表示制御手段
２…被写体認識手段
２１…レンズ焦点距離検出手段
２２…被写体認識手段
２２ａ…サイズ認識手段
２２ｂ…顔認識手段
２２ｃ…動作認識手段
２２ｄ…選択手段
２３…視線認識手段
２３ａ…軌跡記憶手段
３…操作手段
１０１…撮像光学系
１０２…フィルター
１０３…撮像素子
１０４…コントローラー
１０５…内蔵メモリー
１０６…電子ビューファインダー
１０７…インターフェイス
１０８…補助メモリー
１０９…パーソナルコンピューター
１１０…デジタルカメラ
１１１…撮像光学系
１１２…フィルム
１１３…対物レンズ
１１４…撮像素子
１１５…第１のコントローラー
１１６…第２のコントローラー
１２０…銀塩カメラ
【図１】
2010166116.tif 000003
【図２】
2010166116.tif 000004
【図３】
2010166116.tif 000005
【図４】
2010166116.tif 000006
【図５】
2010166116.tif 000007
【図６】
2010166116.tif 000008
【図７】
2010166116.tif 000009
【図８】
2010166116.tif 000010
【図９】
2010166116.tif 000011
【図１０】
2010166116.tif 000012
【図１１】
2010166116.tif 000013
【図１２】
2010166116.tif 000014
【図１３】
2010166116.tif 000015
【図１４】
2010166116.tif 000016
【図１５】
2010166116.tif 000017
【図１６】
2010166116.tif 000018
【図１７】
2010166116.tif 000019
【図１８】
2010166116.tif 000020
【図１９】
2010166116.tif 000021
【図２０】
2010166116.tif 000022